(57)【要約】      （修正有）【課題】一つの構成で形成されたクリップに、パイプを挿入し固定されることで、固定されたクリップに棚が結合されて品物を放置させたり装飾することができるパイプ用固定クリップを提供する。【解決手段】パイプが挿入される第１ホール１１１が形成された第１ボディー１１０と、パイプが挿入される第２ホール１２１が形成された第２ボディー１２０と、第１ボディー１１０と第２ボディー１２０の一端部が結合されて、第１ボディー１１０と第２ボディー１２０の他端部の距離が遠くなるように、加圧する連結部１３０と、第１ボディー１１０或は第２ボディー１２０の他端部が固定される固定部１４０と、を含み、第１ホール１１１の中心軸と第２ホール１２１の中心軸の角度によって、パイプに第１ボディー１１０と第２ボディー１２０が、固定或は離脱されることができる。【選択図】図２
0003206474.tif 000002
【実用新案登録請求の範囲】
【請求項１】
パイプが挿入される第１ホール（１１１）が形成された第１ボディー（１１０）と
前記第１ホール（１１１）を貫通した前記パイプが挿入される第２ホール（１２１）が形成された第２ボディー（１２０）と、
前記第１ボディー（１１０）と前記第２ボディー（１２０）の一端部を相互に結合して、前記第１ボディー（１１０）と前記第２ボディー（１２０）の他端部を相互に遠くなる方向に弾性・加圧する連結部（１３０）と、
一側部が前記第１ボディー（１１０）の他端部と連結され、他側部には前記第２ボディー（１２０）の引っ掛け溝（Ｓ）に引っ掛けられる引っ掛け部（１４１）が具備されて、前記第１ボディー（１１０）と前記第２ボディー（１２０）の他端部が、回動角以上に回動することを防止する固定部（１４０）と、を含み、
前記第１ボディー（１１０ ）及び第２ボディー（１２０）は、前記連結部（１３０）によって連結される一端部から他端部へいくほど、前記連結部（１３０）の弾性・加圧によって相互に遠くなる方向に隔離され、
前記第２ボディー（１２０）には、前記引っ掛け溝（Ｓ）の両側部に突出された形状で外部力によって加圧される加圧部材（１２２）が形成され、
前記第１ホール（１１１）と前記第２ホール（１２１）の中心軸は、前記連結部（１３０）によって所定角が形成され、前記第１ホール（１１１）の中心軸と前記第２ホール（１２１）中心軸の角度によって、前記パイプに、前記第１及び第２ボディー（１１０、 １２０）が固定或は離脱されるようにし、前記第１ボディー（１１０）と前記第２ボディー（１２０）の他端部が相互に接するように、使用者が前記加圧部材（１２２）を加圧すると、前記第１ホール（１１１）の中心軸と前記第２ホール（１２１）の中心軸が同軸に近接して、前記パイプから前記第１ボディー（１１０）及び第２ボディー（１２０）の移動及び離脱が自由であることを特徴とするパイプ用固定クリップ（１００）。
【考案の詳細な説明】
【技術分野】
【０００１】
本考案は、パイプ用固定クリップに関し、さらに詳しくには、パイプにクリップが固定されて、棚の位置の移動及び固定が可能なパイプ用固定クリップに関するものである。
【背景技術】
【０００２】
一般的に、棚は品物を載せるとか保管或は陳列するための用途で使われる。室内或は室外におけるインテリア効果を得るために、棚の構成は簡素化され、簡素化されることにより安全性の高い棚を好むことである。
【０００３】
前記のような棚を構成するために、結合構造の簡素化と安全性を高める技術についてたくさん開発されている。
【０００４】
従来技術の一実施例として、外周側面にロッキングホールが上下方向の全長さにかけて、多数形成されて、伸縮可能ように多段で形成された支持パイプと；両端が支持パイプの外周の一部を包んで、前記支持パイプのロッキングホールに脱着され、棚連結台の下部を支持してくれる固定本体と、両端で前記支持パイプの外周の残り部分を包んで、前記固定本体に脱着される結合本体を含む棚固定具と;前記棚固定具に支持されて、品物を載せておくとか、保管、陳列またはハンガーを掛けられる棚連結台と、を含み、前記固定本体は、前記支持パイプの外周の一部を包む第１収容部と、前記第１収容部の内周から外部に突出されて前記支持パイプのロッキングホールに脱着される固定突起と、前記第１収容部の両側に形成され前記結合本体が挟み結合される結合突起と、をさらに含み、前記第１収容部の反対側に棚連結台の下部が挟まれる棚支承部をさらに含み、前記結合本体は、前記支持パイプの外周の残り部分を包む第２収容部と、前記２収容部の両側に形成されて前記結合突起に挟み結合される結合溝をさらに含み、前記棚支承部は、前記棚連結台の断面形状と対応するように形成されて、前記棚連結台の下部が挟まれる連結台挟み溝と、前記連結台挟み溝から突出され前記棚連結台の下部の一部が挟み結合される連結台挟み突起をさらに含み、前記棚連結台は、内周の下部に止め突起が形成された第１棚連結台と、前記第１棚連結台に伸縮できるように多段で連結され、外周下部に前記止め突起にガイドされるガイド溝が形成され、前記ガイド溝の端を阻んで前記止め突起に引っ掛けられることにより前記第１棚連結台の動きを停止させる遮断蓋が形成された第２棚連結台とをさらに含む棚固定具を具備した多段棚が開示されている。
【０００５】
しかし、前記従来技術は、構造が複雑で部品が過多に使用されることから、組み立て過程で紛失憂慮が存在することである。
【先行技術文献】
【特許文献】
【０００６】
【特許文献１】韓国公開実用新案第２０-２０１３-０００５３１７号
【考案の概要】
【考案が解決しようとする課題】
【０００７】
本考案は、前記のような問題点を解決するために案出されたもので、一つの構成で形成されたクリップに、パイプを挿入して固定し、固定されたクリップに棚が結合されて品物を放置させたり装飾することができるパイプ用固定クリップを提供することを目的とする。
【課題を解決するための手段】
【０００８】
上述ような目的を実現するための本考案のパイプ用固定クリップは、パイプが挿入される第１ホールが形成された第１ボディーと、前記パイプが挿入される第２ホールが形成された第２ボディーと、前記第１ボディーと前記第２ボディーの一端部が結合され、前記第１ボディーと前記第２ボディーの他端部の距離が遠くなるように加圧する連結部と、前記第１ボディー或は前記第２ボディーの他端部が固定される固定部と、を含み、前記第１ホールの中心軸と前記第２ホールの中心軸の角度によって、前記パイプに前記第１ボディーと前記制２ボディーが固定或は離脱されることを特徴とする。
【０００９】
本考案において、前記固定部は、前記第１ボディー或は前記第２ボディー他端部の回動を約束する引っ掛け部をさらに含む。
【００１０】
また、本考案において、前記第１ボディー或は前記第２ボディーの他端部には、前記引っ掛け部が固定される引っ掛け溝が形成されることができる。
【００１１】
また、本考案において、前記第２ボディーには、突出された形状で外部力によって加圧される加圧部材が形成されることができる。
【００１２】
本考案において、前記第１ホールと前記第２ホールの中心軸は、連結部によって所定角が形成され、前記パイプの外周面に固定され、前記第１ボディーと前記第２ボディーの他端部が接するように加圧する場合には、前記第１ホールの中心軸と前記第２ホールの中心軸が同軸に近接されるて、パイプで回動されることができる。
【考案の効果】
【００１３】
本考案は、パイプ用パイプがクリップに挿入され、挿入されたクリップに棚が結合されるので、手軽く組み立てられる効果を持つことである。
【００１４】
また、本考案のパイプ用固定クリップは、第１ボディー或は第２ボディー二つの中のいずれか一つ以上を加圧して、パイプに固定及び移動する効果がある。
【図面の簡単な説明】
【００１５】
【図１】本考案の好ましい実施例に係るパイプ用固定クリップが装着された棚を概略に示した斜視図である。
【図２】図１に示したパイプ用固定クリップの斜視図である。
【図３】図２においてパイプ用固定クリップの第１ボディーを示した平面図である。
【図４】図２においてパイプ用固定クリップの第２ボディーを示した平面図である。
【図５】図２に示した第１ボディーと第２ボディーの使用状態図である。
【図６】図２に示した第１ボディーと第２ボディーの使用状態図である。
【図７】図２に示した第１ボディーと第２ボディーの使用状態図である。
【図８】図２に係るパイプ用固定クリップにパイプが挿入された使用状態図である。
【考案を実施するための形態】
【００１６】
まず、本考案のパイプ用固定クリップを説明する前に、パイプ用固定クリップが結合される棚について記述することにする。
【００１７】
一般的に、棚は壁に固定させることにより、使用者によって空間活用にも役に立ち、多様な物品の展示及び収納が可能な整理整頓の機能を含んで、整頓された雰囲気を演出することができる。
【００１８】
前記のような棚は、単層ないし複層の構造でも使われることができるし、これによって使用される構成品は多様である。棚が複層の形状で形成する場合には、物品の展示及び収納が可能な棚と、棚を支持するパイプと、棚とパイプとの間に結合されるクリップと、を含む。また、前記のような構成の棚は、上端及び下端にさらに含められることができる。
【００１９】
本考案は、パイプ用固定クリップに関するもので、以下図面を参照して本考案の好ましい実施例に係る構成及び作用を詳しく説明する。
【００２０】
図１は、本考案の一実施例に係るパイプ用固定クリップが装着された棚を概略的に示した斜視図である。
【００２１】
図示したように、前記棚１は、品物の展示及び収納が可能な収納台２と、前記収納台２と前記収納台２との間を結合する複数の角の一端に結合されるパイプ３と、前記収納簿２と前記パイプ３との間に結合されるパイプ用固定クリップ１００と、を含む。
【００２２】
前記パイプ用固定クリップ１００は、パイプ３に結合されて収納簿２を支持する。
【００２３】
図２は、図１に示したパイプ用固定クリップの斜視図である。
【００２４】
図示したように、パイプ用固定クリップ１００は、第１ボディー１１０と、第２ボディー１２０と、連結部１３０と、固定部１４０と、を含む。
【００２５】
前記第１ボディー１１０は、パイプが挿入される第１ホール１１１が形成され、前記第２ボディー１２０は、前記パイプが挿入される第２ホール１２１が形成される。前記第１ホール１１１と前記第２ホール１２１を形成する外周縁は、前記パイプに密着される。また、第１ホール１１１と前記第２ホール１２１は、前記パイプの外周の形状によって変更されることもできる。
【００２６】
前記連結部１３０は、前記第１ボディー１１０と前記第２ボディー１２０の一端が結合され、前記第１ボディー１１０と前記第２ボディー１２０の他端部の距離が遠くなるように加圧する。前記連結部１３０は、弾性復元力を有する一体型で形成することもでき、前記第１ボディー１１０と前記第２ボディー１２０に、別途の弾性部材ををさらに追加して、前記第１ボディー１１０と前記第２ボディー１２０の他端部の距離が遠くなるように、加圧することもできる。
【００２７】
前記固定部１４０は、前記第１ボディー１１０或は前記第２ボディー１２０の他端部が、回動角以上に回動することを防止する。また、前記固定部１４０は、前記第１ボディー１１０或は前記第２ボディー１２０の他端部の回動を約束するのために、引っ掛け部１４１をさらに含む。
【００２８】
図３は、図２にパイプ用固定クリップの第１ボディーを示した平面図である。
【００２９】
図示したように、図３は、前記第１ボディー１１０に第１ホール１１１が形成され、前記制１ホール１１１にパイプが挿入される。前記第１ホール１１１の内周面には、パイプの挿入を誘導するために面取りの形状で形成することもできる。
【００３０】
図４は、図２においてパイプ用固定クリップの第２ボディーを示した平面図である。
【００３１】
図示したように、図４は、前記第２ボディー１２０に第２ホール１２１が形成され、前記第２ホール１２１にパイプが挿入される。前記第２ホール１２１の外周面には、図３に示した前記面取りの形状で形成して、パイプの挿入を誘導することもできる。
【００３２】
前記第２ボディー１２０の他端部には、図２に示した前記引っ掛け部１４１が固定されるように、凹んだ形状の引っ掛け溝が形成され、前記引っ掛け溝の両側端には加圧部材１２２が形成される。前記加圧部材１２２は、使用者が手軽く加圧するように、第２ボディー１２０の他端部に形成される。
【００３３】
図５ないし図７は、図２に示した第１ボディーと第２ボディーの使用状態図である。
【００３４】
まず、図５に示したように、前記第１ボディー１１０と前記第２ボディー１２０の一端部の間には、弾性を持つ連結部１３０が形成される。前記連結部１３０は、前記第１ボディー１１０と前記第２ボディー１２０の他端部の距離が遠くなるように加圧され、前記第１ボディー１１０と前記第２ボディー１２０が相互に接するように加圧する場合に、復元力によって再び原位置に戻ることである。
【００３５】
前記固定部１４０は、前記第１ボディー１１０と前記第２ボディー１２０が相互に接するように加圧してから、復元力によって原位置に復元される場合、一対の加圧部材１２２の間に形成された前記引っ掛け溝Ｓをガイドする。
【００３６】
前記第２ボディー１２０には、前記第１ボディー１１０に隣接するために加圧部材１２２が形成される。前記加圧部材１２２は、使用者によって加圧され、前記連結部１３０に対向する前記第２ボディー１２０に形成される。
【００３７】
図６は、図２に示した第１ボディーと第２ボディーの使用状態図を示したものである。図６の（ａ）で、前記第１ボディー１１０と前記第２ボディー１２０の端部は、所定距離で隔離されている。この場合、前記第１ボディー１１０の第１中心軸Ｐ１と前記第２ボディー１２０の第２中心軸Ｐは同軸でないため、前記第１ボディー１１０と前記第２ボディー１２０の間に第１角αが形成される。また、前記第１角αは、その角度が大きければ大きいほどパイプを固定する力が大きくなるため、前記第１ボディー１１０と前記第２ボディー１２０は、前記パイプにおける移動及び離脱が防止されることである。
【００３８】
図６の（ｂ）は、外力によって前記第１ボディー１１０と前記第２ボディー１２０の端部は、図６の（ａ）よりさらに近くの位置に、所定距離で隔離されている。前記第１ボディー１１０の第１中心軸Ｐ１と前記第２ボディー１２０の第２中心軸Ｐは、同軸に近接されているため、前記第１ボディー１１０と前記第２ボディー１２０との間に、前記第１角αより狭い第２角α１が形成される。前記第２角α１は、その角度が小さいほど前記パイプを固定する力が小くて、前記第１ボディー１１０と前記第２ボディー１２０が、前記パイプにおいての移動及び離脱が自由である。
【００３９】
図７は、図２に示した第１ボディーと第２ボディーの使用状態図である。
【００４０】
図示したように、第１ボディー１１０と前記第２ボディー１２０が相互に接するように加圧部材１２２を加圧した場合には、前記第１ボディー１１０と結合された固定部１４０の一側端に固定され、前記固定部１４０の他側と前記引っ掛け突起１４１は、前記第１ボディー１１０と前記第２ボディー１２０の方向に回動する。前記固定部１４０の一面は、前記第２ボディー１２０の他端部に密着されて、図５に示した引っ掛け溝Ｓをガイドする。
【００４１】
図８は、図２ないし図７に示したパイプ用固定クリップ１００を使用してパイプ３が挿入された使用状態図である。
【００４２】
図示したように、パイプ３の上部或は下部へ前記第１ボディー１１０または前記第２ボディー１２０が挿入される。前記第１ボディー１１０或は前記第２ボディー１２０の内側へパイプ３を挿入する場合には、前記第１ボディー１１０或は前記第２ボディー１２０の中いずれか一つ以上の他側部を外力で加圧して相互に接させ、隣接された状態で第１ホール或は第２ホールに前記パイプ３が挿入される。前記パイプ３を好む位置に固定させる方法は、前記第１ボディー１１０或は前記第２ボディー１２０に加えられた外力をこれ以上与えないと、前記連結部１３０の復元力によって、前記第１ボディー１１０と前記第２ボディー１２０が原位置になる力によって固定される。
【００４３】
以上説明したように、本考案は、上述した実施例に限定されるものではなく、本考案の範囲で請求される本考案の技術的思想に脱逸しない範囲内で、当該考案が属する当業者によって自明な変更実施が可能であり、このような変更実施は本考案の範囲に属するものである。
【符号の説明】
【００４４】
１   棚             ２  収納台
３   パイプ        １００   パイプ用固定クリップ
１１０     第１ボディー     １１１   第１ホール
１２０     第２ボディー      １２１   第２ホール
１２２     加圧部材          １３０   連結部
１４０     固定部            １４１: 引っ掛け突起
Ｓ: 引っ掛け溝
【図１】
0003206474.tif 000003
【図２】
0003206474.tif 000004
【図３】
0003206474.tif 000005
【図４】
0003206474.tif 000006
【図５】
0003206474.tif 000007
【図６】
0003206474.tif 000008
【図７】
0003206474.tif 000009
【図８】
0003206474.tif 000010